(57)【要約】本発明は、複数の処方に対して複数個の自動錠剤分配包装装置を購入する必要無しで一台で複数の処方に対する錠剤の自動包装が同時になされることができるようにした自動錠剤分配包装装置に関するものであって、その構成は多数の錠剤カセットが取り付けられ、前記錠剤カセットの間に多数の排出通路が形成された複数個のスライディングラックと、前記スライディングラックに対応するように前記スライディングラックの下部に設置される複数個の包装部、及び前記スライディングラックと前記包装部との間を連結し、かつ各々のスライディングラックから排出された錠剤が各々の包装部に交差して移送できるように案内する移送部を含む。
2015517356.tif 000002
【特許請求の範囲】
【請求項１】
１つの包装装置で複数処方に従う錠剤を同時に包装することを特徴とする、自動錠剤分配包装装置 。
【請求項２】
前記包装装置は、上部に複数のスライディングラックが取り付けられ、前記スライディングラックの下部に複数の包装部が設置されたことを特徴とする、請求項１に記載の自動錠剤分配包装装置。
【請求項３】
前記スライディングラックに多数の錠剤カセットが取り付けられ、前記錠剤カセットの間に多数の排出通路が形成され、
前記スライディングラックと前記包装部との間を連結し、かつ各々のスライディングラックから排出された錠剤が各々の包装部に交差されて移送できるように案内する移送部をさらに含むことを特徴とする、請求項２に記載の自動錠剤分配包装装置。
【請求項４】
前記移送部は、前記包装部の上部に各々設置される複数個のホッパーと、前記複数個のスライディングラックのうちのいずれか１つのスライディングラックの下部と前記複数個のホッパーの上部とを連結する移送ガイドを含むことを特徴とする、請求項３に記載の自動錠剤分配包装装置。
【請求項５】
前記移送ガイドは前記スライディングラックと前記スライディングラックの垂直下部に設置されたホッパーとの間を連結する垂直通路と、前記垂直通路の下端部と連結された前記ホッパーの他側に位置したホッパーの上部と前記垂直通路の間を連結する分岐通路からなって、前記垂直通路及び前記分岐通路を通じて前記スライディングラックから排出された錠剤が選択的に前記複数個のホッパー側に移送及び案内されるように構成したことを特徴とする、請求項４に記載の自動錠剤分配包装装置。
【請求項６】
前記移送ガイドは、前記垂直通路と前記分岐通路との間にシャッターを設置し、前記シャッターは制御信号によって回転軸を中心に時計回りまたは反時計回りに回動されて前記垂直通路と前記分岐通路を選択的に開閉するように構成されたことを特徴とする、請求項５に記載の自動錠剤分配包装装置。
【請求項７】
前記移送ガイドは、前記複数個のスライディングラックに形成された多数の排出通路に沿って互いに交互に多数個に配置されるように構成したことを特徴とする、請求項５または６に記載の自動錠剤分配包装装置。
【発明の詳細な説明】
【技術分野】
【０００１】
本発明は自動錠剤分配包装装置に関し、より詳しくは、複数の処方に対して複数個の自動錠剤分配包装装置をさらに購入する必要無しで、一台で複数の処方に対する錠剤の自動包装が同時になされることができるようにした自動錠剤分配包装装置に関する。
【背景技術】
【０００２】
一般に、自動錠剤分配包装装置は、病院や薬局で医師や薬剤師がコンピュータに入力した処方によって該当錠剤の排出と集合が自動的になされて、集まった錠剤は１回服用分別に包装される。
【０００３】
その構成は、装置の上部に多数の錠剤カセットが取り付けられたスライディングラック（Sliding rack）が備えられ、スライディングラックの下部側に処方別に１回分ずつ排出された錠剤が集合されるホッパーが備えられ、ホッパーの下部側にホッパーに集合された錠剤を処方に従う服用方法及び患者の名前が印刷された包装紙に封入包装する包装装置が備えられる。
【０００４】
錠剤カセットは、スライディングラックに配列されたカセット支え台の上に多数取り付けられ、処方が入力されれば、制御部は各カセット支え台に内蔵されたモータを駆動させて該当錠剤カセットの内部に備えられた錠剤を排出し、排出された錠剤はスライディングラックの錠剤カセットの間に形成された排出通路を通じてホッパーに集まる。
【０００５】
このように、従来の自動錠剤分配包装装置は、入力された１つの処方に対してのみ１つずつ順序に従って錠剤を自動包装するように構成されている。
【０００６】
したがって、複数の処方のためには追加で自動錠剤分配包装装置をさらに購入しなければならないだけでなく、装置の設置のための空間をさらに必要とするので、購入に従う費用負担により経済性が落ちて、設置空間確保の困難性により空間活用の効率性が低下する問題点がある。
【０００７】
また、装置を追加で設置せず、患者の待機者の数が多い場合には、処方に従う錠剤包装時間が遅れることによって、錠剤受領のために患者が長い時間の間待ったなければならないという不便性をもたらす。
【先行技術文献】
【特許文献】
【０００８】
【特許文献１】韓国特許公開第２０−０２７４３５５号
【発明の概要】
【発明が解決しようとする課題】
【０００９】
ここに、本発明は前記したような従来の諸般問題点を解消するために案出されたものであって、その目的は複数の処方に対して複数個の自動錠剤分配包装装置を追加で購入する必要無しで、一台で複数の処方に対する錠剤の自動包装が同時になされることができるようにした自動錠剤分配包装装置を提供することにある。
【課題を解決するための手段】
【００１０】
このような本発明の目的を達成するための本発明による自動錠剤分配包装装置の一形態は、１つの包装装置で複数処方に従う錠剤を同時に包装することを特徴とする。
【００１１】
また、前記包装装置は上部に複数のスライディングラックが取り付けられ、前記スライディングラックが下部に複数の包装部が設置されたことを特徴とする。
【００１２】
また、前記スライディングラックに多数の錠剤カセットが取り付けられ、前記錠剤カセットの間に多数の排出通路が形成され、前記スライディングラックと前記包装部との間を連結し、かつ各々のスライディングラックから排出された錠剤が各々の包装部に交差されて移送できるように案内する移送部をさらに含むことを特徴とする。
【００１３】
また、前記移送部は、前記包装部の上部に各々設置される複数個のホッパーと、前記複数個のスライディングラックのうち、いずれか１つのスライディングラックの下部と前記複数個のホッパーの上部とを連結する移送ガイドを含むことを特徴とする。
【００１４】
また、前記移送ガイドは前記スライディングラックと前記スライディングラックの垂直下部に設置されたホッパーとの間を連結する垂直通路と、前記垂直通路の下端部と連結された前記ホッパーの他側に位置したホッパーの上部と前記垂直通路との間を連結する分岐通路からなって、前記垂直通路及び前記分岐通路を通じて前記スライディングラックから排出された錠剤が選択的に前記複数個のホッパー側に移送及び案内されるように構成したことを特徴とする。
【００１５】
また、前記移送ガイドは、前記垂直通路と前記分岐通路との間にシャッターを設置し、前記シャッターは制御信号によって回転軸を中心に時計回りまたは反時計回りに回動されて前記垂直通路と前記分岐通路を選択的に開閉するように構成されたことを特徴とする。
【００１６】
また、前記移送ガイドは、前記複数個のスライディングラックに形成された多数の排出通路に沿って互いに交互に多数個に配置されるように構成したことを特徴とする。
【発明の効果】
【００１７】
前述したように、本発明は複数個のスライディングラックに対応するように複数個の包装部が備えられ、各々の包装部に対応するように複数個のホッパー及び多数の移送ガイドが交差式で備えられ、移送ガイドは複数個の通路を有し、シャッターにより各々の通路が選択的に開閉されるように構成することによって、一台の自動錠剤分配包装装置で複数の処方に対する錠剤の自動包装が同時になされることができるようになる。
【００１８】
したがって、本発明は室内空間確保の困難性無しで空間活用の効率性を一層増大させることができるだけでなく、複数の処方に対する錠剤の自動包装のために追加で装置を購入する必要がないので、経済性を確保することができ、包装速度が倍加されて包装作業の迅速性及び効率性を一層増大させることができる効果を有するようになる。
【図面の簡単な説明】
【００１９】
【図１】本発明による自動錠剤分配包装装置の外観を示す斜視図である。
【図２】図１の装置本体を省略した内部構成図である。
【図３】図１の内部を示す正断面図である。
【図４】図３の平断面図である。
【図５】本発明のガイド部材を示す斜視図である。
【図６（ａ）】図５の内部構造及び作動状態を示す断面図である。
【図６（ｂ）】図５の内部構造及び作動状態を示す断面図である。
【発明を実施するための形態】
【００２０】
以下、添付した図面を参照して本発明の構成を実施形態に従って詳細に説明する。
【００２１】
図１は、本発明による自動錠剤分配包装装置の外観を示す斜視図である。
【００２２】
ここに、図示したように、本発明は室内の空間占有を最小化するために、全体的に幅より長さの長い長方形の箱体で形成されて装置本体１を構成する。装置本体１は上部に複数個のスライディングラックが設置されるものであって、ここでは２つの第１及び第２スライディングラック２、２ａを例示した。
【００２３】
また、装置本体１は下部に第１及び第２スライディングラック２、２ａに対応するように複数個の包装部、即ち第１及び第２包装部５、５ａが設置され、第１及び第２包装部５、５ａは各々薬包排出口５０をさらに含み、薬包排出口５０を通じて包装完了した薬包１００が引出される。
【００２４】
そして、第１及び第２スライディングラック２、２ａと第１及び第２包装部５、５ａとの間には移送部３が設置されて第１及び第２スライディングラック２、２ａから排出された錠剤が第１及び第２包装部５、５ａに交差されて移送できるように構成したものである。
【００２５】
図２は、図１の装置本体を省略した内部構成図である。
【００２６】
ここに、図示したように、第１及び第２スライディングラック２、２ａは通常のように、垂直方向に多数のカセット支え台２２が配列設置され、各々のカセット支え台２２の上には多数の錠剤カセット２１が取り付けられる。
【００２７】
そして、移送部３は薬包排出口５０を含む第１及び第２包装部５、５ａの上部側に各々設置される第１及び第２ホッパー４、４ａと、第１及び第２スライディングラック２、２ａと第１及び第２ホッパー４、４ａとの間を連結する第１及び第２移送ガイド３ａ、３ｂから構成される。
【００２８】
第１及び第２移送ガイド３ａ、３ｂは、第１及び第２スライディングラック２、２ａのうち、いずれか１つのスライディングラックの下部と第１及び第２ホッパー４、４ａの上部とを連結するように分岐管形態に形成され、第１及び第２スライディングラック２、２ａの錠剤カセット２１の間に多数形成された排出通路（図示せず）に沿って交互に、即ち互いに行き違うように多数配置される。ここで、未説明符号１００は薬包である。
【００２９】
図３は、図１の内部を示す正断面図である。
【００３０】
ここに、図示したように、装置本体１の内部の第１及び第２スライディングラック２、２ａは、カセット支え台２２の上に取り付けられた多数の錠剤カセット２１の間に各々垂直の第１排出通路２３及び第２排出通路２４が形成される。
【００３１】
また、移送部３の第１移送ガイド３ａは第２排出通路２４の下部と第１及び第２ホッパー４、４ａの上部とを連結し、第２移送ガイド３ｂは第１排出通路２３の下部と第１及び第２ホッパー４、４ａの上部とを連結する。そして、第１ホッパー４は薬包排出口５０を有する第１包装部５と連結され、第２ホッパー４ａはやはり薬包排出口５０を有する第２包装部５ａと連結される。
【００３２】
図４は、図３の平断面図である。
【００３３】
前記したように、装置本体１の内部の第１及び第２スライディングラック２、２ａは、各々左右両側に多数の錠剤カセット２１が備えられ、錠剤カセット２１の間に各々第１排出通路２３及び第２排出通路２４が形成される。
【００３４】
第１排出通路２３及び第２排出通路２４は、多数の錠剤カセット２１に対応するように第１スライディングラック２及び第２スライディングラック２ａの長手方向に沿って多数個に形成され、平面上で中空の正方形の断面構造で形成されるが、これに限定されず、錠剤カセット２１から供給された錠剤を排出することができる通路機能を有する構造であれば構わない。
【００３５】
図５は、本発明の移送部を示す斜視図である。
【００３６】
ここに、図示したように、本発明の移送部３は下部が分岐され、正方形の断面構造をなす管形態に形成される。即ち、垂直方向に上下部が連通するように中空の正方形の管形態に形成された垂直通路３２と、垂直通路３２の上部一側から分岐されて垂直通路３２と連通する正方形の管形態をなす分岐通路３３で形成される。
【００３７】
そして、垂直通路３２は上端部及び下端部に各々第１及び第２スライディングラックの第１及び第２排出通路（図示せず）と連通する流入口３１と、第１及び第２ホッパー（図示せず）の上部と連通する排出口３２ａが形成され、分岐通路３３の下端部にも第１及び第２ホッパーの上部と連通する排出口３３ａが形成される。
【００３８】
図６（ａ）及び図６（ｂ）は、図５の内部構造及び作動状態を示す断面図である。
【００３９】
前記したように、本発明の移送部３は垂直方向に上下部が連通するように中空の管形態に形成された垂直通路３２と、垂直通路３２の上部一側から分岐されて垂直通路３２と連通する管形態の分岐通路３３で形成される。
【００４０】
そして、垂直通路３２と分岐通路３３との間にシャッター３４が備えられ、シャッター３４は制御信号によって回転軸３４ａを中心に時計回りまたは反時計回りに回転しながら垂直通路３２と分岐通路３３を選択的に開閉するように構成される。この際、シャッター３４の駆動は回転軸３４ａにモータまたはギアなどの通常の機械的駆動装置を連結することにより達成できる。
【００４１】
そして、第１移送ガイド３ａの垂直通路３２は第２ホッパー４ａの上部に連結され、第１移送ガイド３ａの分岐通路３３は第１ホッパー４の上部に連結される。また、第２移送ガイド３ｂの垂直通路３２は第１ホッパー４の上部に連結され、第２移送ガイド３ｂの分岐通路３３は第２ホッパー４ａの上部に連結される。このように、第１移送ガイド３ａと第２移送ガイド３ｂとは互いに交互に、即ち互いに行き違うように第１及び第２スライディングラックの第１及び第２排出通路２３、２４に沿って多数配置及び整列される。
【００４２】
次に、前記したように構成された本発明の作動状態を添付した図面を参照して詳細に説明する。
【００４３】
図６（ａ）に示すように、シャッター３４が回転軸３４ａを中心に時計回りに回転すれば、第１移送ガイド３ａの垂直通路３２と第２移送ガイド３ｂの分岐通路３３は閉鎖され、第１移送ガイド３ａの分岐通路３３と第２移送ガイド３ｂの垂直通路３２が開放されて第１及び第２スライディングラック２、２ａから排出された錠剤が開放された第１移送ガイド３ａの分岐通路３３と第２移送ガイド３ｂの垂直通路３２を通じて第１ホッパー４に集まる。
【００４４】
図６（ｂ）に示すように、シャッター３４が回転軸３４ａを中心に反時計回りに回転すれば、第１移送ガイド３ａの分岐通路３３と第２移送ガイド３ｂの垂直通路３２は閉鎖され、第１移送ガイド３ａの垂直通路３２と第２移送ガイド３ｂの分岐通路３３が開放されて第１及び第２スライディングラック２、２ａから排出された錠剤が開放された第１移送ガイド３ａの垂直通路３２と第２移送ガイド３ｂの分岐通路３３を通じて第２ホッパー４ａに集まる。
【００４５】
このように、本発明は複数個のスライディングラックに対応するように複数個の包装部が備えられ、各々の包装部に対応するように複数個のホッパー及び多数の移送ガイドが交差式で備えられ、移送ガイドは複数個の通路を有し、シャッターにより各々の通路が選択的に開閉されるように構成することによって、一台の自動錠剤分配包装装置で複数の処方に対する錠剤の自動包装が同時になされることができるようになる。
【００４６】
以上、本発明による自動錠剤分配包装装置を具体的に説明したが、これは本発明の最も好ましい実施態様を記載しただけであり、本発明がこれに限定されるものではなく、添付した特許請求範囲によりその範囲が決定及び限定される。また、この技術分野で通常の知識を有する者であれば、誰でも本発明の明細書の記載内容による多様な変形及び摸倣を行うことができるが、これもまた本発明の範囲を逸脱するものでないことは明白である。
【符号の説明】
【００４７】
１    装置本体
２    第１及び第２スライディングラック
２１    錠剤カセット
２２    カセット支え台
２３、２４    第１及び第２排出通路
３    移送部
３ａ、３ｂ    第１及び第２移送ガイド
３１    流入口
３２    垂直通路
３３    分岐通路
３２ａ、３３ａ    排出口
３４    シャッター
３４ａ    回転軸
４、４ａ    第１及び第２ホッパー
５、５ａ    第１及び第２包装部
【図１】
2015517356.tif 000003
【図２】
2015517356.tif 000004
【図３】
2015517356.tif 000005
【図４】
2015517356.tif 000006
【図５】
2015517356.tif 000007
【図６】
2015517356.tif 000008
【国際調査報告】
2015517356.tif 000009
2015517356.tif 000010
2015517356.tif 000011
2015517356.tif 000012